(57)【特許請求の範囲】
【請求項１】
粘着面と非粘着面とを両面に有し、立設可能なシート状物に、カメムシ類に対して誘引効果を有する誘引剤を取り付けると共に、粘着面と非粘着面との面積比を、９．０：１．０〜９．９：０．１とし、
前記非粘着面を、下辺端側に帯状に設けた、カメムシ類用両面粘着捕虫器。
【請求項２】
シート状物の下辺端側から下方に突出する棒状物を取り付けることで立設可能とした、請求項１に記載のカメムシ類用両面粘着捕虫器。
【請求項３】
シート状物の上部に孔を設け、該孔を利用することで立設可能とした、請求項１に記載のカメムシ類用両面粘着捕虫器。
【発明の詳細な説明】
【０００１】
【発明が属する技術分野】
【０００２】
本発明は両面粘着捕虫器に関し、詳細にはカメムシ類に属する害虫の捕獲に適したカメムシ類の両面粘着捕虫器に関する。
【０００３】
【従来の技術】
【０００４】
カメムシ類は、カメムシ科昆虫を主としてホソヘリカメムシ科あるいはヘリカメムシ科等が挙げられ、これらはいずれもイネ、マメ、果実、野菜などの害虫として知られ、それら農作物に大きな被害を与えている。
例えば、ホソヘリカメムシは、大豆、エンドウ、インゲンなどマメ科植物の代表的な大害虫であり、クモヘリカメムシは、イネの穂を吸汁して斑点米を産出するのでイネの重要害虫として知られている。
従来、これらカメムシ類の捕獲には水盤式捕虫器や三角屋根の空中吊り下げ型の粘着捕虫器や、これらに性フェロモン、食物誘引剤等の誘引剤を組み合わせたものが使用されてきた。
【０００５】
【発明が解決しようとする課題】
【０００６】
しかしながら、水盤式捕虫器は一度水中に落下したカメムシが比較的容易に脱出できるため充分な捕虫効果をあげる事ができなかった。
また、三角屋根型の空中吊り下げ式の粘着捕虫器では、飛来したカメムシが屋根の上やその他の非粘着部に着地し、しばらく滞留した後飛び去ってしまい捕虫効果が非常に悪かった。
従って、本発明の目的は、カメムシ類に対して捕虫効果が高く、しかも設置や回収に手間がかからないものを提供することにある。
【０００７】
【課題を解決するための手段】
【０００８】
本発明者らは、上記の課題を解決するために、カメムシ類の生態や従来の捕虫器の問題点等を鋭意研究した結果、カメムシ類が放出するフェロモンの殆どは集合フェロモンであり、性フェロモンほどの強い誘引力は期待できないうえ、粘着剤に対する警戒心が強く、一旦非粘着面に着地したカメムシの殆どは粘着面上を歩いて誘引源に近づこうとはしないことに注目した。
そして、粘着捕虫器の形状としては、カメムシが着地できる非粘着面を極力減らし、剥離紙を剥がしたりセットしたりする為に必要な最少限の非粘着面を残した両面粘着型のものが適切であることを見出し、本発明を完成させた。
【０００９】
すなわち、本発明の課題を解決するための手段は、下記のとおりある。
【００１０】
第１に、粘着面を両面に有し、立設可能なシート状物に、カメムシ類に対して誘引効果を有する誘引剤を取り付けた、両面粘着捕虫器。
第２に、粘着面と非粘着面とを両面に有し、立設可能なシート状物に、カメムシ類に対して誘引効果を有する誘引剤を取り付けると共に、粘着面と非粘着面との面積比を、９．０：１．０〜９．９：０．１とした、両面粘着捕虫器。
第３に、非粘着面を、下辺端側に帯状に設けた、上記第２に記載の両面粘着捕虫器。
第４に、シート状物の下辺端側から下方に突出する棒状物を取り付け、該突出した棒状物を地中に突き刺すことで立設可能とした、上記第１〜３の何れか一つに記載の両面粘着捕虫器。
第５に、シート状物の上部に孔を設け、該孔に紐状物を通し、該紐状物を枝等に掛けることで立設可能とした、上記第１〜３の何れか一つに記載の両面粘着捕虫器。
また、粘着面を両面に有するシート状物に、カメムシ類に対して誘引効果を有する誘引剤を取り付け、該シート状物を丸めて円筒形にしたり、折り曲げて三角柱にするなどの立体形状の両面粘着捕虫器を形成し、該両面粘着捕虫器を立設可能なように、下方に突出する棒状物を取り付けたり、上部に孔を設けたりすることもできる。
【００１１】
両面粘着捕虫器を形成するシート状物の材質は、特に限定されないが、耐候性のあるシートが望ましい。
粘着面は、虫を捕獲するための粘着剤をコートしたり、粘着シールを貼り合わせることで形成するが、一度の接触で確実に捕獲できるように粘着力が強く、耐候性があり、効果が持続する物を用いて形成することが好ましい。
【００１２】
粘着剤としては、粘着力が十分で、耐候性があり効果が持続する天然ゴム系、ブチルゴム系、アクリルゴム系、クロロプレンゴム系などが好ましい。
カメムシ類は粘着面を嫌う傾向にあり、一旦非粘着面に着地すると粘着面上を歩いて誘引源に近づこうとしないので、できるだけ非粘着面の面積を小さくすることで捕虫効果をより高めることができる。
また、非粘着面を立設状態において、下辺端側に設けることにより、主に上方から飛来したカメムシが、非粘着面に止まることを避けることができ、捕虫効果を高めることができる。
【００１３】
シート状物の大きさを、例えば、縦１４ｃｍ、横１８ｃｍとした場合には、帯状に形成された非粘着面の幅を、下辺端から１ｃｍ以下にすることが好ましい。
そして、他の上辺、両側辺付近を含めて全て粘着面にすると、誘引されて飛来したカメムシの殆どは粘着面に着地するので効率よく捕獲できる。
【００１４】
【実施例】
【００１５】
以下、図面を参照しながら本発明の両面粘着捕虫器の一実施例について説明する。
【００１６】
図１は、本発明に係る突き刺しタイプの両面粘着捕虫器の斜視図である。
図２は、本発明に係る吊り下げタイプの両面粘着捕虫器の斜視図である。
【００１７】
【実施例１】
【００１８】
図１に示すように、本実施例の突き刺しタイプの両面粘着捕虫器は、粘着面１１と帯状の非粘着面１２とを有し、立設可能なシート状物１３に、クモヘリカメムシに対して誘引効果を有する誘引剤１４を取り付けたものである。
該捕虫器は、シート状物１３の下辺端側から下方に１．２ｍ以上突出する棒状物１５を取り付け、該突出した棒状物１５を地中に突き刺すことで立設可能としたものである。
ここで、シート状物１３は、全体が縦１４ｃｍ横１８ｃｍであって、下辺端側のみに０．８ｃｍ幅の非粘着面１２を有し他は剥離紙（図示せず）で保護された粘着面１１である粘着シートを２枚用い、背中合わせに他の三辺を貼りあわせ、非粘着面１２のある下辺端の中央に５ｃｍ位の挿入部とし、挿入部の両端を貼り合わせることで形成したものである。
棒状物１５は、市販されている園芸用ネームプレイトのプレイト面を挿入部から挿入することで取り付けたものである。
本実施例の突き刺しタイプの両面粘着捕虫器は、粘着面１１を保護する剥離紙を剥がしてから、棒状物１５を、地中に突き刺すことで容易に設置でき、また、取り外しも棒状物１５を地中から引き抜くだけなので、容易に回収することができる。
【００１９】
【実施例２】
【００２０】
図２に示すように、本実施例の吊り下げタイプの両面粘着捕虫器は、実施例１と同様に、粘着面２１と帯状の非粘着面２２とを有し、立設可能なシート状物２３に、ホソヘリカメムシに対して誘引効果を有する誘引剤２４を取り付けたものである。
該捕虫器は、シート状物２３の上辺側の左右２箇所に孔２３ａを設け、該孔２３ａに細い針金２５を通し、該針金２５を枝等に掛けることで立設可能としたものである。
【００２１】
ここで、シート状物２３は、全体が縦１４ｃｍ横１８ｃｍであって、下辺端側のみに０．８ｃｍ幅の非粘着面２２を有し他は剥離紙（図示せず）で保護された粘着面２１である粘着シートを２枚用い、背中合わせに全辺を貼りあわせることで形成したものである。
本実施例の吊り下げタイプの両面粘着捕虫器は、粘着面２１を保護する剥離紙を剥がしてから、針金２５を枝に掛けることで容易に設置でき、また、取り外しも針金２５を枝から外すだけなので、容易に回収することができる。
【００２２】
【試験例１】
【００２３】
本発明に係る実施例１による突き刺しタイプの両面粘着捕虫器の捕虫効果を試すために、実施例１の両面粘着捕虫器と従来の比較品の捕虫器について以下の条件で試験を行った。
本発明区１は、実施例１による突き刺しタイプの両面粘着捕虫器を用いた。
比較区１は、富士フレーバー株式会社製の三角屋根型粘着捕虫器を用いた。
該比較区１で用いた三角屋根型粘着捕虫器は、粘着シートの面積が、本発明区１で用いた両面粘着捕虫器の粘着面の総面積とほぼ同様なものであり、誘引剤についても、クモヘリカメムシに対して誘引効果を有する本発明区１の誘引剤と同じものを用いた。
【００２４】
本発明区１は、茨城県の水田の畦道沿いに、実施例１による突き刺しタイプの両面粘着に係る２個の捕虫器を、それぞれ１ｍの高さで１０ｍ離して設置した。
比較区１は、本発明区１と同じ茨城県の水田の畦道沿いに、２個の三角屋根型粘着捕虫器を、本発明区１の捕虫器から１０ｍ離し、それぞれ１ｍの高さで空中に吊り下げて設置した。
【００２５】
設置後、４週間の間、週２回の割合で、各区の捕虫器で捕虫されたクモヘリカメムシの数を調査すると共に、調査の都度、各区の捕虫器の位置をローテーションにより取り替え、条件がなるべく同じになるようにした。
結果を表１に示す。
【００２６】
【表１】
0004526203.tif 000002
【００２７】
結果を考察すると、各週及び合計について、本発明区１は、比較区１よりも捕虫数が多く、捕虫効果が高いことが確認できる。
【００２８】
【試験例２】
【００２９】
本発明に係る実施例２による吊り下げタイプの両面粘着捕虫器の捕虫効果を試すために、実施例２の両面粘着捕虫器と従来の比較品の捕虫器について以下の条件で試験を行った。
本発明区２は、実施例２による吊り下げタイプの両面粘着捕虫器を用いた。
比較区２は、富士フレーバー株式会社製の吊り下げタイプの屋根付両面粘着捕虫器を用いた。
該比較区で用いた屋根付両面粘着捕虫器は、屋根及び粘着シートの両面の各４辺に幅２ｃｍの非粘着面を有するもので、粘着シートの総面積が、本発明区２で用いた両面粘着捕虫器の粘着面の総面積とほぼ同様なものであり、誘引剤についても、ホソヘリカメムシに対して誘引効果を有する本発明区２の誘引剤と同じものを用いた。
【００３０】
本発明区２は、九州の大豆圃場に、実施例２による吊り下げタイプの両面粘着に係る２個の捕虫器を、それぞれ１．５ｍの高さで１０ｍ離して設置した。
比較区２は、本発明区２と同じ九州の大豆圃場に、２個の屋根付両面粘着捕虫器を、本発明区２の捕虫器から１０ｍ離し、それぞれ１．５ｍの高さで空中に吊り下げて設置した。
【００３１】
設置後、４週間の間、週２回の割合で、各区の捕虫器で捕虫されたホソヘリカメムシの数を調査すると共に、調査の都度、各区の捕虫器の位置をローテーションにより取り替え、条件がなるべく同じになるようにした。
結果を表２に示す。
【００３２】
【表２】
0004526203.tif 000003
【００３３】
結果を考察すると、各週及び合計について、本発明区２は、比較区２よりも捕虫数が多く、捕虫効果が高いことが確認できる。
【００３４】
【発明の効果】
【００３５】
本発明の両面粘着捕虫器は、野外に棲息するカメムシ類に対して、捕虫効果が高く、しかも設置や回収に手間がかからない。
【図面の簡単な説明】
【図１】本発明に係る突き刺しタイプの両面粘着捕虫器の斜視図である。
【図２】本発明に係る吊り下げタイプの両面粘着捕虫器の斜視図である。
【符号の説明】
１１  粘着面
１２  非粘着面
１３  シート状物
１４  誘引剤
１５  棒状物
２１  粘着面
２２  非粘着面
２３  シート状物
２３ａ  孔
２４  誘引剤
２５  針金
【図１】
0004526203.tif 000004
【図２】
0004526203.tif 000005